(57)【要約】【課題】種々のケーブル用コネクタに対応し、複数のケーブル用コネクタにも対応しながら、自在にケーブル用コネクタの脱落を抑制することを目的とする。【解決手段】ケーブル１１を保持する押さえ具３と、ケーブル１１を折り曲げる突出面４を設けた固定ブラケット２よりなるコネクタ脱落抑制装置１を用いることにより、ケーブル用コネクタ１０が抜ける方向にケーブル１１が引っ張られることを抑制することができ、種々のケーブル用コネクタ１０に対応し、複数のケーブル用コネクタ１０にも対応しながら、自在にケーブル用コネクタ１０の脱落を抑制することができる。【選択図】図２
2014192062.tif 000002
【特許請求の範囲】
【請求項１】
機器の機器用コネクタに装着されるケーブル用コネクタの脱落抑制装置であって、
前記機器用コネクタが形成される前記機器のコネクタ面に固定可能な固定ブラケットと、
前記ケーブル用コネクタに接続される１または複数のケーブルを前記固定ブラケットに押圧固定する押さえ具と
から構成され、
前記固定ブラケットが、
前記コネクタ面に固定される固定面と、
前記固定面から突出する押圧面と、
前記押圧面の前記固定面と接する部分と反対側の先端部に設けられる突出面と
を有し、前記押さえ具が前記押圧面に設けられることを特徴とするコネクタ脱落抑制装置。
【請求項２】
前記押圧面の前記押さえ具が設けられる領域が傾斜することを特徴とする請求項１記載のコネクタ脱落抑制装置。
【請求項３】
前記押さえ具の前記ケーブルに接する面に弾性シートが設けられることを特徴とする請求項１または請求項２のいずれかに記載のコネクタ脱落抑制装置。
【請求項４】
前記押さえ具が、前記押圧面にネジにより着脱される固定金具であることを特徴とする請求項１〜請求項３のいずれか１項に記載のコネクタ脱落抑制装置。
【請求項５】
前記押さえ具が、
前記押圧面に固定される受け部と、
前記受け部の一端に設けられる留め部と、
前記受け部と他端で接続されて接続部で折り曲げることができる蓋部と、
から構成され、前記受け部上に前記１または複数のケーブルが載置された状態で、前記蓋部を折り曲げて前記蓋部を前記留め部で固定することにより、前記ケーブルを前記受け部と前記蓋部とで挟んで押えることを特徴とする請求項１〜請求項３のいずれか１項に記載のコネクタ脱落抑制装置。
【請求項６】
前記突出面の端部が折り曲げられて二重に重なることを特徴とする請求項１〜請求項５のいずれか１項に記載のコネクタ脱落抑制装置。
【請求項７】
前記固定面に、
前記コネクタ面に対して所定の角度を有するコネクタ保持面と、
前記コネクタ保持面に設けられるネジ穴とをさらに有し、
前記ケーブル用コネクタに前記コネクタ保持面と平行な面を備えるカバーを設けた際に、前記カバーと前記コネクタ保持面とをネジ止め固定することにより、前記ケーブル用コネクタを前記コネクタ保持面に固定することを特徴とする請求項１〜請求項６のいずれか１項に記載のコネクタ脱落抑制装置。
【発明の詳細な説明】
【技術分野】
【０００１】
パーソナルコンピュータや産業用機器等に装着されるコネクタの脱落を抑制するコネクタ脱落抑制装置に関する。
【背景技術】
【０００２】
パーソナルコンピュータや産業用機器等の各種電子機器には、ケーブルを介してデータの送受信や電源の供給を行うための様々なコネクタが接続される。コネクタの中には、機器側の機器用コネクタの端子穴に挿入するのみで機器に装着するものがあり、外力が加わることにより簡単に脱落する場合がある。そのため、従来より、コネクタにカバーを装着してカバーの爪部を筐体の開口部に挿入してカバーでコネクタを保持したり（例えば、特許文献１参照）、コネクタのコードを筐体に固定したりすることにより（例えば、特許文献２参照）、コネクタの脱落を抑制していた。
従来のコネクタ脱落抑制装置の例を図８を用いて説明する。
図８は従来のコネクタ脱落抑制装置の構成を例示する図である。
【０００３】
図８に示す従来のコネクタ脱落抑制装置では、筐体７のコネクタ面８に形成される機器用コネクタ１２を開口して、その周囲にコネクタ保持具２４が設けられる。また、ケーブル用コネクタ１０を機器用コネクタ１２に挿入する際には、ケーブル用コネクタ１０にカバー２５が被せられる。コネクタ保持具２４には、ケーブル用コネクタ１０を装着した際に、カバー２５の１つの面と平行となるコネクタ保持面３２が形成され、コネクタ保持面３２とカバー２５の１つの面にはネジ穴が形成される。そして、ケーブル用コネクタ１０装着時に、コネクタ保持面３２とカバー２５とをネジ２７で固定することにより、カバー２５およびコネクタ保持具２４を介してケーブル用コネクタ１０を筐体７に保持して、ケーブル用コネクタの脱落を抑制していた。
【先行技術文献】
【特許文献】
【０００４】
【特許文献１】特開２００１−１３５４１３号公報
【特許文献２】特開２００４−２２４６９号公報
【発明の概要】
【発明が解決しようとする課題】
【０００５】
しかしながら、従来のコネクタ脱落抑制装置では、１または特定のケーブル用コネクタ１０ごとに、コネクタ面８にコネクタ脱落抑制用の治具を、例えばネジ等で固定する必要があり、多くのケーブル用コネクタ１０の脱落を抑制するためには、ネジ等で固定する領域が多く必要となり、コネクタ面８に必要なコネクタ領域が限定され、あるいは、コネクタ脱落抑制用の治具を多く固定することが困難な場合があった。
【０００６】
また、ケーブル用コネクタ１０やケーブル１１は様々な大きさ形状のものがあるが、従来のコネクタ脱落抑制装置では、あらかじめ想定されるケーブル用コネクタ１０に対応してコネクタ脱落抑制用の治具を形成しており、ケーブル用コネクタ１０の形状や大きさ，数に自在に対応してケーブル用コネクタ１０の脱落を抑制することが困難な場合があった。
本発明は、上記問題点を解決するために、種々のケーブル用コネクタに対応し、複数のケーブル用コネクタにも対応しながら、自在にケーブル用コネクタの脱落を抑制することを目的とする。
【課題を解決するための手段】
【０００７】
上記目的を達成するために、本発明のコネクタ脱落抑制装置は、機器の機器用コネクタに装着されるケーブル用コネクタの脱落抑制装置であって、前記機器用コネクタが形成される前記機器のコネクタ面に固定可能な固定ブラケットと、前記ケーブル用コネクタに接続される１または複数のケーブルを前記固定ブラケットに押圧固定する押さえ具とから構成され、前記固定ブラケットが、前記コネクタ面に固定される固定面と、前記固定面から突出する押圧面と、前記押圧面の前記固定面と接する部分と反対側の先端部に設けられる突出面とを有し、前記押さえ具が前記押圧面に設けられることを特徴とする。
また、前記押圧面の前記押さえ具が設けられる領域が傾斜することが好ましい。
また、前記押さえ具の前記ケーブルに接する面に弾性シートが設けられることが好ましい。
また、前記押さえ具が、前記押圧面にネジにより着脱される固定金具であっても良い。
【０００８】
また、前記押さえ具が、前記押圧面に固定される受け部と、前記受け部の一端に設けられる留め部と、前記受け部と他端で接続されて接続部で折り曲げることができる蓋部と、から構成され、前記受け部上に前記１または複数のケーブルが載置された状態で、前記蓋部を折り曲げて前記蓋部を前記留め部で固定することにより、前記ケーブルを前記受け部と前記蓋部とで挟んで押えても良い。
また、前記突出面の端部が折り曲げられて二重に重なることが好ましい。
【０００９】
また、前記固定面に、前記コネクタ面に対して所定の角度を有するコネクタ保持面と、前記コネクタ保持面に設けられるネジ穴とをさらに有し、前記ケーブル用コネクタに前記コネクタ保持面と平行な面を備えるカバーを設けた際に、前記カバーと前記コネクタ保持面とをネジ止め固定することにより、前記ケーブル用コネクタを前記コネクタ保持面に固定しても良い。
【発明の効果】
【００１０】
以上のように、ケーブルを保持する押さえ具と、ケーブルを折り曲げる突出面を設けた固定ブラケットよりなるコネクタ脱落抑制装置１を用いることにより、ケーブル用コネクタが抜ける方向にケーブルが引っ張られることを抑制することができ、種々のケーブル用コネクタに対応し、複数のケーブル用コネクタにも対応しながら、自在にケーブル用コネクタの脱落を抑制することができる。
【図面の簡単な説明】
【００１１】
【図１】実施の形態１におけるコネクタ脱落抑制装置の装着状態を説明する図
【図２】本発明のコネクタ脱落抑制装置がコネクタを保持する機能を説明する図
【図３】本発明の押さえ具の構成を例示する図
【図４】本発明のコネクタ脱落抑制装置における固定面の形状を例示する図
【図５】本発明のコネクタ脱落抑制装置におけるコネクタ保持具を併設する場合の構成を例示する図
【図６】実施の形態２におけるコネクタ脱落抑制装置の固定ブラケットの構成を説明する図
【図７】本発明のコネクタ脱落抑制装置の装着態様を説明する図
【図８】従来のコネクタ脱落抑制装置の構成を例示する図
【発明を実施するための形態】
【００１２】
（実施の形態１）
まず、図１〜図５を用いて、実施の形態１におけるコネクタ脱落抑制装置について説明する。
【００１３】
図１は実施の形態１におけるコネクタ脱落抑制装置の装着状態を説明する図、図２は本発明のコネクタ脱落抑制装置がコネクタを保持する機能を説明する図、図３は本発明の押さえ具の構成を例示する図である。図４は本発明のコネクタ脱落抑制装置における固定面の形状を例示する図、図５は本発明のコネクタ脱落抑制装置におけるコネクタ保持具を併設する場合の構成を例示する図である。
【００１４】
図１〜図３に示すように、実施の形態１におけるコネクタ脱落抑制装置１は、機器７のコネクタ面８に装着して使用される。また、コネクタ脱落抑制装置１は固定ブラケット２と押さえ具３とで構成される。ここで、固定ブラケット２は以下のような構成である。まず、固定面６を備えており、固定面６をネジ９等でコネクタ面８に固定することにより固定ブラケット２が機器７に装着される。ネジ９によるネジ止め領域等の固定部は機器用コネクタ１２が形成されている領域を避けて設ける。また、固定面６は機器用コネクタ１２を塞がないような形状とする。また、固定面６に接続され、機器７に装着された状態でコネクタ面８から突出する方向に伸びる押圧面５を備える。押圧面５の表面は押さえ具３が設けられる領域となる。押圧面５の固定面６と接する部分の反対側である先端部分には、押さえ具３が設けられる面の方向に突出する突出面４が形成される。例えば、突出面４は固定ブラケット２の先端を折り曲げて形成される。また、装着されたケーブル用コネクタ１０のケーブル１１は、押圧面５に固定された押さえ具３で保持され、あるいは押圧面５と押さえ具３とで挟んで保持される。
【００１５】
このような構成のコネクタ脱落抑制装置１は、機器７の機器用コネクタ１２に挿入されたケーブル用コネクタ１０の抜けを抑制するために用いられる。コネクタは各種のコネクタを用いることができ、ＵＳＢやオーディオ端子等任意のコネクタに用いることができる。
次に、本発明のコネクタ脱落抑制装置の使用状態について説明する。
【００１６】
まず、押圧面５が機器用コネクタ１２より下に位置するように固定ブラケット２を機器７のコネクタ面８に固定する。固定する際には、固定ブラケット２の固定面６をネジ９等によりコネクタ面８に固定する。固定ブラケット２を機器７に固定した状態で、機器用コネクタ１２にケーブル用コネクタ１０を挿入する。ケーブル用コネクタ１０を挿入すると、ケーブル用コネクタ１０のケーブル１１が固定ブラケット２の押圧面５上に載置される。本発明のコネクタ脱落抑制装置１では、ケーブル１１上に押さえ具３を装着することにより、押圧面５に固定された押さえ具３で保持し、あるいは押さえ具３と押圧面５とで挟みこんでケーブル１１を固定する。
【００１７】
このように、ケーブル１１を固定ブラケット２の押圧面５に設けた押さえ具３で固定することにより、ケーブル１１と押さえ具３および押圧面５との摩擦により、ケーブル用コネクタ１０が抜ける方向にケーブル１１が引っ張られることを抑制し、ケーブル用コネクタ１０の脱落を抑制することができる。これに加えて、押圧面５の先端に突出面４を形成することにより、突出面４によりケーブル１１が折り曲げられ、ケーブル１１が引っ張られる方向の力が分散されることにより、よりケーブル用コネクタ１０の脱落を抑制することができる。
【００１８】
ここで、押さえ具３および突出面４の幅を広くしておくことにより、複数のケーブル用コネクタ１０を機器７に挿入する場合であっても、それぞれのケーブル１１を１つの押さえ具３で固定し、１つの突出面４で折り曲げることにより、１つのコネクタ脱落抑制装置１で複数のケーブル用コネクタ１０の脱落を自在に抑制することができる。また、ケーブル１１でケーブル用コネクタ１０の脱落を抑制する構成であるため、ケーブル用コネクタ１０の形状や大きさに依存することなく、１つのコネクタ脱落抑制装置１で複数のケーブル用コネクタ１０の脱落を自在に抑制することができる。また、１つのコネクタ脱落抑制装置１を装着するのみなので、１または最小の固定部、例えばネジ止め領域で１つのコネクタ脱落抑制装置１を装着することができるので、コネクタ面８の機器用コネクタ１２形成領域を確保することが容易となる。
【００１９】
さらに、押さえ具３のケーブル１１との接触面、または、押さえ具３のケーブル１１との接触面および押圧面５のケーブル１１との接触面を表面粗さが粗い形状にしても良い。または、これらの接触面にゴム等の弾性シート１３を装着しても良い。このように、ケーブル１１との接触面を摩擦抵抗の高い構成とすることにより、ケーブル１１の引っ張り力に対する抵抗が向上し、ケーブル用コネクタ１０の脱落をより抑制することができる。また、ケーブル１１との接触面をゴム等の弾性シート１３とすることにより、太さの異なる複数のケーブル１１を固定する際にも、弾性シート１３の弾性力により太さの差異を吸収することができるため、ケーブル１１を隙間なく固定することができ、様々のケーブル用コネクタ１０を均一に固定し、複数のケーブル用コネクタ１０の脱落を自在に抑制することができる。また、弾性シート１３にケーブル１１と平行な方向に伸びるガイド溝を設けても良い。ガイド溝を設けることにより、ケーブル１１の位置決めができ、整然とケーブル１１を固定することができる。
【００２０】
また、突出面４の先端を折り曲げることが好ましい。突出面４の先端部はケーブル１１と接触するが、先端が鋭利であるとケーブル１１を傷つけ、ケーブル１１の断線やショートの原因になることがある。突出面４の先端を折り曲げることにより、ケーブル１１と接触する部分が丸められ、ケーブル１１の損傷を防止することができる。
次に、図３を用いて、本発明のコネクタ脱落抑制装置における押さえ具の構成例について説明する。
【００２１】
図３（ａ）に例示するように、押さえ具として固定金具１４を用いることができる。ケーブル用コネクタを挿入した後、ケーブル上から固定金具１４を被せ、固定ブラケット２の押圧面５に固定する。固定の際には、固定金具１４と押圧面５とをネジ１５により固定しても良いし、ピン等その他の物で固定しても良い。さらに、上述のように、弾性シート１３をケーブルとの接触面に装着しても良い。
【００２２】
また、図３（ｂ）に例示するように、押さえ具として、一体形成された受け部１６と蓋部１７とからなり、折り曲げることにより受け部１６と蓋部１７とを重ね合わせることができる形状のワンタッチクランプ１８とすることができる。ワンタッチクランプ１８は樹脂等からなり、受け部１６の折り曲げ部分と反対側の端部に、折り曲げた際に蓋部１７の端部を受け部１６に固定する留め部１９を備える形状である。ワンタッチクランプ１８は、固定ブラケット２の押圧面５に設けられた穴部２０に、ワンタッチクランプ１８に設けられた係り部２１を嵌合して押圧部５に固定してもよいが、ネジやピンにより固定して用いても良い。
【００２３】
ケーブルの固定の際には、ケーブル用コネクタを挿入した後、あらかじめ固定ブラケット２に固定されたワンタッチクランプ１８の受け部１６上にケーブルを載置し、蓋部１７を受け部１６と重ねて留め部１９で固定することにより、押圧面５に装着される受け部１６と蓋部１７とでケーブルを挟み込んで固定する。さらに、上述のように、弾性シート１３をケーブルとの接触面に装着しても良い。
【００２４】
このように、図３（ａ）や図３（ｂ）に例示されるような押さえ具でケーブルを挟み込んで固定することにより、ケーブルにかかる引っ張り力に対抗し、ケーブル用コネクタの脱落を抑制することができる。
次に、図４，図５を用いて、本発明のコネクタ脱落抑制装置における固定面の形態例について説明する。
【００２５】
固定面６は、機器のコネクタ面に設けられる機器用コネクタの形成領域を避けて、固定ブラケットを固定するネジ等の固定部の形成領域のみを設けても良いが、図４（ａ）に示すように、複数の機器用コネクタの形成領域を開口する開口部２２を設ける構成としても良い。開口部２２は複数の機器用コネクタが形成された領域を露出する構成とすることにより、固定面６をコネクタ面に装着しながら、機器用コネクタの形成領域を限定せず、また、ケーブル用コネクタの装着を阻害せずに、固定ブラケットを機器に装着することができる。
【００２６】
また、固定面６は、図４（ｂ）に示すように、１つ１つの機器用コネクタの形成領域を開口する複数の開口部２３を設ける構成としても良い。また、開口部２３と開口部２２との両方を設ける構成としても良い。このような構成によっても、固定面６をコネクタ面に装着しながら、機器用コネクタの形成領域を限定せず、また、ケーブル用コネクタの装着を阻害せずに、固定ブラケットを機器に装着し、ケーブル用コネクタの脱落を抑制することができる。
【００２７】
以上のような構成の固定面６に対して、図５に示すように、さらに、コネクタ面８から突出する方向に伸びるコネクタ保持具２４を設けても良い。コネクタ保持具２４を設けた場合、ケーブル用コネクタ１０を装着する際に、ケーブル用コネクタ１０のケーブル１１との接続面２６を保持できるカバー２５をケーブル用コネクタ１０に被せ、カバー２５とコネクタ保持具２４とをネジ２７等で固定することにより、ケーブル用コネクタ１０を機器７に固定し、コネクタ脱落抑制装置１と合わせて、より強固にケーブル用コネクタ１０の脱落を抑制することができる。
（実施の形態２）
次に、図６，図７を用いて、実施の形態２におけるコネクタ脱落抑制装置について説明する。
【００２８】
図６は実施の形態２におけるコネクタ脱落抑制装置の固定ブラケットの構成を説明する図、図７は本発明のコネクタ脱落抑制装置の装着態様を説明する図である。
【００２９】
図６に示すように、実施の形態２におけるコネクタ脱落抑制装置２９は、実施の形態１のコネクタ脱落抑制装置に対して、固定ブラケット３０の押圧面３１の先端部分を押さえ具３の装着面の反対方向に曲げて傾斜面２８を設け、傾斜面２８に押さえ具３を装着することが特徴である。その他の構成は、実施の形態１と同様であり、説明を省略する。
【００３０】
実施の形態２におけるコネクタ脱落抑制装置では、傾斜面２８を設けることにより、機器の設置位置に係わらず押さえ具３によりケーブルを容易に固定することができ、ケーブル用コネクタの脱落を抑制することができる。
次に、機器の設置状況に応じた押さえ具の装着状態について図７を用いて説明する。
【００３１】
機器７は、上下が壁に囲まれた隙間等に配置されることがあるが、押さえ具によるケーブル用コネクタの固定のために、機器７の設置位置が制限されることがあった。例えば、従来のコネクタ脱落抑制装置では、コネクタ挿入箇所で機器７の上面からネジ止めする必要があり、機器７の少なくともコネクタ挿入箇所上部に空間がある場所にしか機器７を設置することができなかった。
【００３２】
これに対して、本発明のコネクタ脱落抑制装置では、固定ブラケットの先端部分が上部に空間がある場所に配置されれば、機器７自体は壁に囲まれた隙間等に配置することができる。
【００３３】
例えば、実施の形態１におけるコネクタ脱落抑制装置１では、図７（ａ）に示すように、固定ブラケット２のワンタッチクランプ１８等の押さえ具が上部に空間がある場所に配置されれば、ワンタッチクランプ１８の開閉やネジ止めを行うことができる。
【００３４】
また、実施の形態２におけるコネクタ脱落抑制装置２９では、図７（ｂ），図７（ｃ）に示すように、固定ブラケット３０に傾斜面２８が形成されているため、固定ブラケット３０が壁の隙間等に入っていても、壁の開口部分から押さえ具３によるケーブル１１の固定を行うことができる。例えば、壁の開口部分からワンタッチクランプ１８の開閉を行うことができ（図７（ｂ））、押さえ具３のネジ止めを行うことができる（図７（ｃ））。
【００３５】
このように、本発明のコネクタ脱落抑制装置では、固定ブラケットの先端部分でケーブル１１を固定し、ケーブル１１に印加される引張り力を分散するため、機器７を設置する位置の制限が緩和され、ケーブル用コネクタ１０の脱落をより自在に抑制することができる。
【００３６】
また、実施の形態２におけるコネクタ脱落抑制装置２９では、固定ブラケット３０に傾斜面２８が形成されているため、ケーブル１１を固定するために必要なスペースを確保することが容易となり、機器７を設置する位置の制限がより緩和され、ケーブル用コネクタ１０の脱落をさらに自在に抑制することができる。
【符号の説明】
【００３７】
１    コネクタ脱落抑制装置
２    固定ブラケット
３    押さえ具
４    突出面
５    押圧面
６    固定面
１０    ケーブル用コネクタ
１１    ケーブル
１２    機器用コネクタ
１３    弾性シート
１４    固定金具
１６    受け部
１７    蓋部
１８    ワンタッチクランプ
１９    留め部
２０    穴部
２１    係り部
２４    コネクタ保持具
２５    カバー
２８    傾斜面
２９    コネクタ脱落抑制装置
３０    固定ブラケット
３１    押圧面
３２    コネクタ保持面
【図１】
2014192062.tif 000003
【図２】
2014192062.tif 000004
【図３】
2014192062.tif 000005
【図４】
2014192062.tif 000006
【図５】
2014192062.tif 000007
【図６】
2014192062.tif 000008
【図７】
2014192062.tif 000009
【図８】
2014192062.tif 000010